(57)【要約】      （修正有）【課題】分解可能なキャスターを提供する。【解決手段】分解可能なキャスターは、防塵蓋、横軸、ローラーから構成される。防塵蓋は、内部の凸縁末端に凹部を有する。凹部に横軸が係設され、横軸両端がそれぞれローラーと結合し、これらが防塵蓋でカバーされ、その内部に収容される。凹部には横軸の挿入が容易にできるように外方へ傾斜する斜面を設けてある。【選択図】図４
0003158058.tif 000002
【実用新案登録請求の範囲】
【請求項１】
分解可能なキャスターであって、防塵蓋、横軸、及びローラーからなり、前記横軸両端は、前記ローラーと結合してなるものであり、
前記防塵蓋は、内部の凸縁末端に凹部を有し、前記防塵蓋の前記凹部が前記横軸を係設し、前記横軸両側の前記ローラーが前記防塵蓋の内部にカバーされてなることを特徴とする分解可能なキャスター。
【請求項２】
前記防塵蓋の前記凹部両側は、外方に傾斜する斜面を有し、前記横軸の挿入が容易であるように構成してなることを特徴とする請求項１に記載の分解可能なキャスター。  
【考案の詳細な説明】
【技術分野】
【０００１】
本考案は、分解可能なキャスターに関するものであり、さらに詳しくは、防塵蓋が取り外せ、防塵蓋及びそれがカバーするローラーに付着した毛髪や汚れを除去できるキャスターに関するものである。
【背景技術】
【０００２】
キャスターには多種の形式があり、よく見られるキャスター１は、図１で示すように、ローラー１０の上部の外側に防塵蓋１１が覆われているものである。
また、図２で示すように、主体２０の左右両側に、それぞれ、ローラー２１を結合して、キャスター２を構成しているものもある。
【０００３】
キャスター１は上部の外側に防塵蓋１１が設けられてあり、塵の付着を防いでいるが、防塵蓋１１によるカバーは、ローラー１０の両側まで及ばず、塵や汚れが隙間から容易に内部に入る。また、キャスター１が地面を滑動する時、地面に落ちている毛髪等をローラー１０内に巻き込んでしまうという状態にある。
【０００４】
一方、キャスター２は、防塵装置が設けられてないので、埃やごみがローラー２１と主体２０間の隙間に入り、且つ、キャスター１と同様に、地面の毛髪等をローラー２１内に巻き込んでしまうという問題がある。
【０００５】
このように、キャスター１及び２は、長期間使用後、内部に溜まった毛髪や汚れによって、地面を滑る円滑度に影響を及ぼすので、一定期間後、汚れを除去する必要がある。
しかし、キャスター１及び２の構造は、分解して汚れを取り除くことができないので、構造の改良をするにしてもその程度に限りがあり、汚れや毛髪がキャスター１、２の滑動に影響するという難点が指摘されている。
【０００６】
かかる状況下において、例えば、特許文献１によれば、キャスターホルダーを分割可能にし、そのホルダーを分解して摩耗等による内部の回軸支持体の交換を可能としたキャスターが提案されているが、防塵の構造については開示がない。
【特許文献１】特開２００３−２００７０３号公報
【考案の開示】
【考案が解決しようとする課題】
【０００７】
従って、本考案の課題は、キャスター内部に塵、髪の毛等が取り込まない構造または塵等が溜まっても容易に廃棄可能な構造のキャスターを提供する点にある。
【課題を解決するための手段】
【０００８】
そこで、本考案者は、上記の本考案の課題を解決するために鋭意検討を重ねた結果、分解可能な防塵構造を設けることによりキャスター内部に溜まった塵を完全に除去できることに着目し、かかる知見に基づいて本考案の想到に至った。
【０００９】
すなわち、本考案は、分解可能なキャスターを提供し、キャスター内部に溜まった汚れや毛髪等を徹底的に除去することを目的とする。
【００１０】
かくして、本考案によれば、
請求項１において、
分解可能なキャスターであって、防塵蓋、横軸、及びローラーからなり、前記横軸両端は、前記ローラーと結合してなるものであり、
前記防塵蓋は、内部の凸縁末端に凹部を有し、前記防塵蓋の前記凹部が前記横軸を係設し、前記横軸両側の前記ローラーが内部にカバーされてなることを特徴とする分解可能なキャスターが提供される。
【００１１】
また、請求項２に係る考案によれば、
前記防塵蓋の前記凹部両側は、外方に傾斜する斜面を有し、前記横軸の挿入が容易であるように構成してなることを特徴とする請求項１に記載の分解可能なキャスターが提供される。
【００１２】
本考案の分解可能なキャスターは、防塵蓋、横軸、ローラー、からなる。防塵蓋は、内部の凸部末端に凹部を有する。凹部両側に、それぞれ、外に傾斜する斜面を有する。横軸両端がそれぞれローラーと結合し、防塵蓋の凸部末端の凹部に横軸を係設し、横軸両側のローラー防塵蓋を内部に収容し、カバー（空間を設けて被覆）する。キャスター内部にごみや毛髪がたまると、防塵蓋を取り外し、横軸と分離して、ローラーと防塵蓋内部のごみを除去することができるので、キャスターの使用寿命を延長し、円滑な滑動を維持することができる。
【考案の効果】
【００１３】
防塵蓋は、ローラーの前後左右を完全にカバーし、塵や毛髪等がローラー内に入るのを効果的に阻止する。長時間の使用で、内部に塵や毛髪等がたまった場合は、防塵蓋を取り外し、防塵蓋とローラー内部を徹底的に掃除して、キャスターの使用寿命を延長させ、且つ、キャスターの滑動の円滑度を保つことができる。
【図面の簡単な説明】
【００１４】
【図１】公知のキャスターの斜視図である。
【図２】公知のキャスターの斜視図である。
【図３】本考案の一実施態様によるキャスターの斜視図である。
【図４】本考案の一実施態様によるキャスターの分解斜視図である。
【図５】図３で示す本考案に係るキャスターのＡ−Ａ断面図である。
【図６】図３で示す本考案に係るキャスターのＢ−Ｂ断面図である。
【考案を実施するための最良の形態】
【００１５】
次に、本考案について図面に基づいて具体的に説明する。
本考案の分解可能なキャスター３は、図３〜図６で示されるように、防塵蓋３１、横軸３２、ローラー３３からなる。防塵蓋３１は、内部に延伸する凸縁３１１末端に、横軸３２を収容する凹部３１２を有する。凹部３１２両側に、それぞれ、外に傾斜する斜面３１３を有する。横軸３２両端は、それぞれ、ローラー３３と結合し、防塵蓋３１の凹部３１２が横軸３２を係設し、横軸３２両側のローラー３３が防塵蓋内部にカバーされる。
【００１６】
キャスター３は、一定期間使用後、内部にごみや毛髪がたまると、防塵蓋３１に施力して、上向けに取り外し、横軸３２と分離して、ローラー３３と防塵蓋３１内部のごみを除去することができ、除去後、防塵蓋３１の凹部３１２両側の斜面３１３の設計により、横軸３２を防塵蓋３１の凹部３１２内に容易に挿入し、結合することができる。
【００１７】
本考案では好ましい実施態様を前述の通り開示したが、これらは決して本考案を限定するものではなく、当該技術を熟知する者なら誰でも、本考案の精神と領域を脱しない範囲内で各種の変更を加えることができる。従って本考案の保護範囲は、実用新案請求の範囲で指定した内容を基準とすることは明らかなことである。
【産業上の利用可能性】
【００１８】
本考案に係るキャスターの用途は限定されるものではなく、貨物等の搬送用の手押し車、その他の各種の車輌等に取り付けて広範な分野で利用することができる。
【符号の説明】
【００１９】
１、２、３        キャスター
１０、２１、３３  ローラー
１１、３１        防塵蓋
２０              主体
３１１            凸縁
３１２            凹部
３１３            斜面
３２              横軸
【図１】
0003158058.tif 000003
【図２】
0003158058.tif 000004
【図３】
0003158058.tif 000005
【図４】
0003158058.tif 000006
【図５】
0003158058.tif 000007
【図６】
0003158058.tif 000008